(57)【要約】【課題】  従来の技術では、２つの記録媒体を有するビデオカメラにおいて、電源投入時にどちらの記録媒体に記録するモードで起動するか、またはその記録媒体が記録可能かどうかが不確定であり、決定的なシーンを撮り逃す可能性があった。【解決手段】  上記課題を解決するために、本発明では、電源投入後に確実に撮影できる状態で起動するよう、起動時に記録媒体の装填状態や残量を確認する。また、このような確認処理を行ってから起動するための、専用の電源投入ボタンを用意する。これにより、ユーザは決定的なシーンを撮り逃すことが無くなり、使い勝手が向上する。【選択図】図６
2009253566.tif 000002
【特許請求の範囲】
【請求項１】
撮像素子と音声入力手段とを有し、複数の記録媒体を搭載して当該記録媒体に映像音声情報を記録する情報記録再生装置であって、
前記撮像素子から入力された映像情報と前記音声入力手段から入力された音声情報をストリームデータとして第１の記録媒体または第２の記録媒体に記録する記録手段と、
前記第１および第２の記録媒体に記録されたストリームデータを再生する再生手段と、
前記第１および第２の記録媒体の装填状態を監視する装填状態監視手段と、
前記第１および第２の記録媒体の記録容量を監視する記録容量監視手段とを有し、
電源投入時に、前記装填状態監視手段と前記記録容量監視手段とから得た情報により、複数の記録媒体に対して、記録媒体が装填されていることと、記録媒体の残容量が十分にあることの確認を行い、
前記確認の結果、記録媒体の装填と記録媒体の残容量が十分にあると判定した記録媒体に対してストリームデータの記録が行える状態でシステムを起動することを特徴とする情報記録再生装置。
【請求項２】
請求項１記載の情報記録再生装置において、
前記記録媒体判定結果に基づくシステム起動を行うためのユーザ操作手段を  有することを特徴とする情報記録再生装置。
【請求項３】
請求項２記載の情報記録再生装置において、
前記記録媒体判定結果に基づくシステム起動を行うためのユーザ操作手段が  操作されたことを監視する操作監視手段を有し、
前記操作監視手段が操作を検知した場合、前記記録媒体判定結果に基づくシステム起動を行うことを特徴とする情報記録再生装置。
【請求項４】
請求項３記載の情報記録再生装置において、
前記ユーザ操作手段以外の操作手段との組み合わせ又は前記ユーザ操作手段以外の複数の操作手段同士の組み合わせが操作されたことを監視する所定ユーザ操作監視手段を有し、
前記所定ユーザ操作監視手段が操作を検知した場合、前記記録媒体判定結果に基づくシステム起動を行うことを特徴とする情報記録再生装置。
【請求項５】
請求項１から４記載の情報記録再生装置において、
音声を出力するための音声出力手段を有し、
前記記録媒体判定結果に基づくシステム起動を行う際、
情報記録再生装置に搭載した複数の記録媒体のいずれについても記録不可能と判定した場合には、前記音声出力手段から所定の警告音を出力することを特徴とする情報記録再生装置。
【請求項６】
被写体を撮像し、映像情報を出力する撮像手段と、
前記撮像手段から出力される映像情報を複数の記録媒体のうちいずれかに記録する記録手段と、
前記記録手段が前記複数の記録媒体のうちユーザにより指定された記録媒体に記録する状態で起動するよう操作する第１の操作手段と、
前記記録手段が前記複数の記録媒体のうちいずれに映像情報を記録することが可能であるかを確認する確認手段と、
前記記録手段が前記複数の記録媒体のうち前記確認手段により記録することが可能であると確認された記録媒体に記録する状態で起動するよう操作する第２の操作手段と、
前記第１の操作手段が操作された場合、前記記録手段が前記複数の記録媒体のうちユーザにより指定された記録媒体に記録する状態で起動し、前記第２の操作手段が操作された場合、前記記録手段が前記複数の記録媒体のうち前記確認手段により記録することが可能であると確認された記録媒体に記録する状態で起動するよう制御する制御手段と、
を備えることを特徴とする情報記録再生装置。
【請求項７】
請求項６記載の情報記録再生装置において、
前記第１の操作手段は、起動時に、ユーザが映像情報を記録する記録媒体を指定することができること、
を特徴とする情報記録再生装置。
【請求項８】
請求項６記載の情報記録再生装置において、
電源オフ時に、ユーザに指定され現在選択されている記録媒体を記憶する記憶手段を備え、
前記制御手段は、前記第１の操作手段が操作された場合、前記記憶手段に記憶されている記録媒体に記録する状態で起動すること、
を特徴とする情報記録再生装置。
【請求項９】
請求項６から８のいずれかにおいて、
前記第２の操作手段は、前記第１の操作手段による起動時には操作されず、起動後に起動以外のために操作される操作手段と、前記第１の操作手段と、を組み合わせて操作することによって操作されること、
を特徴とする情報記録再生装置。
【請求項１０】
請求項６から９のいずれかにおいて、
前記複数の記録媒体は、ハードディスクと光ディスクを含むこと、
を特徴とする情報記録再生装置。
【請求項１１】
請求項６から９のいずれかにおいて、
前記複数の記録媒体は、半導体メモリと光ディスクを含むこと、
を特徴とする情報記録再生装置。
【請求項１２】
請求項６から９のいずれかにおいて、
前記複数の記録媒体は、半導体メモリとハードディスクを含むこと、
を特徴とする情報記録再生装置。
【請求項１３】
請求項６から１２のいずれかにおいて、
前記複数の記録媒体は、特定記録媒体を含み、
前記制御手段は、前記第２の操作手段が操作された場合、前記確認手段により前記特定記録媒体に記録することが可能であると確認されたときは、前記特定記録媒体に記録する状態で起動し、前記確認手段により前記特定記録媒体に記録することが不可能であると確認されたときは、前記複数の記録媒体のうち前記確認手段により記録することが可能であると確認された前記特定記録媒体以外の記録媒体に記録する状態で起動するよう制御すること、
を特徴とする情報記録再生装置。
【請求項１４】
請求項１３において、
前記特定記録媒体は、ハードディスクであること、
を特徴とする情報記録再生装置。
【請求項１５】
請求項１３において、
前記特定記録媒体は、半導体メモリであること、
を特徴とする情報記録再生装置。
【発明の詳細な説明】
【技術分野】
【０００１】
本発明は、情報記録再生装置に関する。
【背景技術】
【０００２】
複数の記録媒体に対してＡＶデータの記録再生が可能な情報記録再生装置として、例えば特許文献１がある。
【０００３】
電源投入後、なるべく早く記録媒体に対して情報を記録することが可能な情報記録装置及びその情報記録方法として、例えば特許文献２がある。特許文献２では、電源投入後記録媒体に情報が記録できる状態になるまでの間の情報についても記録媒体に記録する例が示されている。
【０００４】
【特許文献１】特開２００５−１８２８６４号公報
【特許文献２】特開２００３−３０３４７２号公報
【発明の開示】
【発明が解決しようとする課題】
【０００５】
近年、記録媒体としてＤＶＤやＢＤに代表されるディスクメディアを採用したビデオカメラが登場し、上書きの心配がないことや記録したＡＶデータの再生、検索の容易さから、光ディスクカメラの認知度は高まり、市場が拡大してきている。また、光ディスクに記録した映像音声情報は長期間保存しても品質が劣化することがない上、容易に持ち運びできるという長所がある。一方、光ディスクの記録容量は、特にＤＶＤの場合、ＡＶデータをカメラで記録するためには十分とは言えない。例えば、ＤＶＤ１枚あたり３０分程度のＡＶデータしか記録できないという短所がある。
【０００６】
ところで、小型ハードディスクの記録容量も年々増加しており、ＡＶデータの記録媒体としてハードディスクを採用したカメラ、いわゆるハードディスクカメラも登場してきている。ハードディスクは、ＤＶＤと比較して記録容量が大きいため、長時間のＡＶデータを記録できるという長所がある。さらには、その記録容量の大きさから、従来以上に高品質のＡＶデータを記録することができるという長所がある。一方、ハードディスクは高価であるため、カメラに内蔵するのが一般的である。そのため、ＤＶＤカメラとは異なり、記録したデータを持ち運ぶことは容易でない。また、ハードディスクは、大容量であると言っても、その容量は有限であるため、全容量を記録してしまった場合には、不要なＡＶデータを削除しない限り、新たなＡＶデータを記録することはできない。すなわち、ハードディスクに記録したＡＶデータは、保存用途として不適当である。
【０００７】
そこで、ＤＶＤとハードディスク、２つの記録媒体を搭載したビデオカメラが考えられる。このようなビデオカメラは、ハイブリッド式ビデオカメラと呼ばれることが多い。このハイブリッド式ビデオカメラでは、ハードディスクに記録したデータをＤＶＤやＢＤにダビングすることが可能であり、ハードディスクの記録容量の大きさとＤＶＤやＢＤの持ち運びと保存の容易さという、両者の長所を最大限に活かすことができる。その一方で、記録媒体が２つあることから、ユーザにとっては操作が煩雑になったり、どちらの記録媒体に記録可能なモードにあるのか分かりにくい等の短所もある。特に、ビデオカメラにとっては、不意に訪れた撮影チャンスを確実に撮影するために、いかに早く、いかに確実に撮影できるかが重要である。このとき、前記のような操作の煩雑さや記録モードの分かりにくさが大きな課題であった。
【課題を解決するための手段】
【０００８】
上記課題を解決するために、例えば、ハイブリッド式ビデオカメラに対して、通常の電源スイッチとは異なる、特殊な電源スイッチを設け、前記特殊な電源スイッチによって電源投入された場合には、記録媒体の装填状態や残容量を確認し、撮影したデータを確実に記録できるモードで起動する制御手段を設ける。
【発明の効果】
【０００９】
上記手段によれば、例えば、複数の記録媒体を備えたハイブリッド式ビデオカメラが、電源投入後に複数の記録媒体のうち、記録可能なモードにて起動する。そのため、ユーザは不意に訪れた撮影チャンスを逃すことがなくなり、使い勝手が良い。
【００１０】
上記以外の課題、手段、効果は、後述する実施例によって明らかにされる。
【発明を実施するための最良の形態】
【００１１】
本発明の実施に好適な実施形態の例を説明する。記録再生装置としてハードディスクを備え、また、ＢＤ（Blu-ray Disc）/ＤＶＤ（Digital Versatile Disc）を読み書き可能な光ディスクドライブとを備えたハイブリッド式デジタルビデオカメラ（以下、単にビデオカメラともいう）を用いて説明する。なお、本発明は、入学式や卒業式、運動会や学芸会などの子供の学校行事、誕生会や結婚式などの祝いの行事、行楽地への旅行の他、小さな子供が居る家庭内での日常生活と言った、一般的なビデオカメラの利用シーンにおいて特に有効である。
【００１２】
また、本実施例ではハードディスクは、記録再生装置に内蔵されている場合について説明するが、内蔵型に限定する必要はなく、着脱式でも良い。着脱式であれば、ハードディスクに記録されたデータを持ち運ぶことができるため、データを他の機器に移すことも容易である。また、ハードディスクのかわりに、半導体メモリ等でも同様の効果が得られる。また、ＢＤとＤＶＤの種類は特に限定されるものではない。また、ＢＤやＤＶＤに限定されず、例えばＨＤ（High Definition）−ＤＶＤなどの他の光ディスクであってもよい。また、ハードディスクと光ディスクの組み合わせに限定されず、例えばハードディスクと半導体メモリ、光ディスクと半導体メモリとの組み合わせであっても良い。もちろん、記録媒体は２つに限定されず、３つ以上存在していても構わない。
【００１３】
図１において、１００は情報記録再生装置である。１０１はシステム制御部であり、ＣＰＵ（Central Processing Unit）やメモリを持ち、システム全体を制御する。１０２は撮像素子であり、被写体を撮像し、撮像情報を光信号から電気信号に変換するとともに、アナログ電気信号をデジタル信号に変換する。１０３は映像入出力端子であり、１０４の映像圧縮伸張部において圧縮・伸張されたデジタル映像信号の入出力を行う。１０５は音声入出力端子であり、１０６の音声圧縮伸張部において圧縮・伸張されたデジタル音声信号の入出力を行う。１０７は多重/分離部であり、映像圧縮伸張部１０４および音声圧縮伸張部１０６からそれぞれ出力される映像圧縮データと音声圧縮データを多重化してストリームデータを生成し、あるいはストリームデータを映像圧縮データと音声圧縮データに分離して、それぞれのデータを映像圧縮伸張部１０４および音声圧縮伸張部１０６に入力する。
【００１４】
１０９は光ディスク装填部であり、ＢＤやＤＶＤなどの光ディスク１１０について挿脱自在に装填できる。１０８は光ディスクドライバ部であり、ＡＶデータ記録時には、システム制御部１０１を介して多重/分離部１０７が生成したストリームデータや各種の情報ファイルを所定の形式で光ディスク１１０に書き込み、あるいはＡＶデータ再生時には、光ディスク１１０に記録されているストリームデータや各種の情報ファイルを読み出す。１１１はハードディスクドライバ部であり、ＡＶデータ記録時には、システム制御部１０１を介して多重/分離部１０７が生成したストリームデータや各種の情報ファイルを所定の形式でハードディスク１１２に書き込み、あるいはＡＶデータ再生時には、ハードディスク１１２に記録されているストリームデータや各種の情報ファイルを読み出す。ここで、映像圧縮伸張部１０４、音声圧縮伸張部１０６、多重／分離部１０７、光ディスクドライバ部１０８、ハードディスクドライバ部１１１は、回路としてハードウェア的に動作を実行する構成にしても良いし、システム制御部１０１にプログラムとして記憶し、ソフトウェア的に処理を実行する構成としても良い。光ディスク１１０およびハードディスク１１２には、主に映像情報や音声情報といったＡＶデータをデジタル的に情報量圧縮したファイルや、それらのＡＶデータの管理情報などが記録されている。
【００１５】
１１３は通信部であり、通信入出力端子１１４を介して、情報処理装置などの他の機器との通信処理を行う。
【００１６】
１１５はモニタ部であり、記録再生装置１００のメニューなどのＧＵＩ（Graphical User Interface）、または記録時には、撮像素子１０２で入力される映像情報、または再生時には、ＤＶＤやハードディスクから再生された映像情報などを表示する。
【００１７】
電源部１１６は、装置を駆動するための電池や交流電源といった記録再生装置を駆動するための電源を供給する。
【００１８】
図２は、ハイブリッド式ビデオカメラにおける、電源スイッチの例を示す図である。図２−ａは、電源スイッチとして「ＯＦＦ」と「ＯＮ」があり、記録媒体ごとの電源スイッチがない例を示す。このような電源スイッチを有するハイブリッド式ビデオカメラの起動シーケンスを図３に示す。図３は、図２−ａにおいて、電源スイッチが「ＯＮ」になったときの動作である。
【００１９】
まず、ステップＳ３００において前回起動したモードの情報を呼び出す。この情報は、例えばシステム制御部１０１の備えるＲＡＭ(Random Access Memory)に保存されているものとする。例えば、前回ビデオカメラが使われたときに、ハードディスクに記録するモードを使用し、そのモードで電源が切られた場合には、その旨を示す情報がＲＡＭに保存されている。同様に、前回光ディスクに記録するモードを使用し、そのモードで電源が切られた場合には、その旨を示す情報がＲＡＭに保存されている。次に、ステップＳ３０１において、前記読み出したモード情報がハードディスクだった場合にはステップＳ３０２、ハードディスクでなかった場合にはステップＳ３０３に進む。ステップＳ３０２およびステップＳ３０３は、それぞれハードディスクおよびＢＤ/ＤＶＤの起動処理を行う。ここで、起動処理とは、各種ハードウェアの初期化処理の実行、記録媒体の装填有無、記録の可否、残容量の情報等を確認した後、指定された記録媒体にデータを記録することが可能な状態でビデオカメラが起動し、撮影ボタンが押下されるのを待つ状態になることである。上記述べた通り、図２−ａは、電源スイッチに「ＯＦＦ」と「ＯＮ」しかないため、どちらの記録媒体で起動するかは、図３のフローのように前回起動したモードの情報を元に、どちらのモードで起動するかを判別する。もちろん、前回起動したモード情報に依らず、常に固有の記録媒体側で起動しても良い。なお、図２−ａの例では、電源スイッチが「ＯＮ」の状態で、さらに矢印方向にスイッチを動かすことで、他方の記録媒体へと切り替わるものとする。この場合、前回どちらのモードで起動したかをビデオカメラは記憶しているが、ユーザはどちらのモードで起動したかを忘れてしまうことが多い。さらには、各記録媒体にどの程度の残容量があるかまでをユーザが覚えている例は稀である。
【００２０】
一方、図２−ｂは、電源スイッチに「ＯＦＦ」の他、記録媒体ごとのスイッチがある例である。この場合、起動時にどちらの記録媒体で起動するかは、スイッチによって指定されるため、図３のステップＳ３００のような前回起動モード情報の呼び出し処理は不要である。そのため、ユーザは、どちらの記録媒体で起動するかを指定することができるが、この場合でも、各記録媒体の残容量までを覚えている例は少ない。したがって、例えばＢＤ/ＤＶＤの光ディスク側で起動してみたものの、ディスクが装填されていなかったり、ディスクが装填されていても残容量がなくて記録できない場合も起こり得る。
【００２１】
そこで、本発明では、電源投入時に、確実に撮影することが可能な状態で起動するための特殊な電源スイッチを用意する。このスイッチを、以下の説明では「確実撮影ボタン」と呼ぶ。また、確実撮影ボタンが押下された状態で起動することを「確実撮影モード」と呼ぶ。図４が、確実撮影ボタンの設置例を示す図である。図４−ａは図２−ａに、図４−ｂは図２−ｂに、それぞれ確実撮影ボタンを追加している。
【００２２】
図５は、図４−ａの電源スイッチを備えるハイブリッド式ビデオカメラにおいて、確実撮影モードとして起動する際の処理フロー例である。
【００２３】
図５において、ビデオカメラシステムの起動処理を開始すると、まずステップＳ５００において、確実撮影ボタンが押下されたか否かを判断する。これは、言い換えるならば、通常起動か確実撮影モードでの起動かを判別する処理である。ステップＳ５００において、確実撮影ボタンが押下されたと判断した場合には、ステップＳ５０１に進み、確実撮影モードでの起動処理を実行する。この詳細については、後述する。
【００２４】
一方、ステップＳ５００において、確実撮影ボタンが押下されていないと判断した場合には、ステップＳ５０２に進み、通常の起動処理を実行する。この処理は、図３のステップＳ３０１からステップＳ３０３として示した処理と同じであるため、詳細な説明は割愛する。以上のように、本発明のハイブリッド式ビデオカメラでは、図４の確実撮影ボタンが押下されたか否かによって、確実撮影モードで起動するか通常起動するかの処理を切り替える。
【００２５】
図６は、ステップＳ５０１の確実撮影モードの起動処理フローを示す図である。図６において、まずステップＳ６００でＨＤＤに記録可能かどうかを判断する。ＨＤＤに記録可能かどうかの判断は、物理的に破壊されるなどの原因によって記録不可能な場合や記録容量が一杯で記録不可能な場合など、ＨＤＤへの記録に関するすべての条件を網羅することとする。その結果、ＨＤＤへの記録が可能だと判断した場合、ステップＳ３０２のＨＤＤ起動処理を実行する。一方、ステップＳ６００でＨＤＤに記録不可能だと判断された場合は、ステップＳ６０２に進み、光ディスクドライブへの光ディスクの装填状況、すなわちＢＤかＤＶＤが装填されているか否かを判断する。ＢＤ/ＤＶＤが装填されていた場合には、ステップＳ６０３に進み、装填されていたディスクが記録可能かどうかを判断する。ここで、ＢＤ/ＤＶＤに記録可能かどうかの判断は、物理的に破壊されたり、指紋などの汚れが付着している等の原因によって記録不可能な場合や記録容量が一杯で記録不可能な場合など、ＢＤ/ＤＶＤへの記録に関するすべての条件を網羅することとする。ここで、ＢＤ/ＤＶＤへの記録が可能だと判断された場合には、ステップＳ３０３に進み、ＢＤ/ＤＶＤの起動処理を実行する。一方、ステップＳ６０２においてＢＤ/ＤＶＤが装填されていない場合とステップＳ６０３においてＢＤ/ＤＶＤへの記録が不可能だと判断された場合には、ステップＳ６０４に進む。ステップＳ６０４では、警告音を鳴動する。この警告音は、確実撮影モードで起動しようとしたが、ＨＤＤ、ＢＤ/ＤＶＤともに記録可能な状態にないため、確実撮影モードで起動できなかったことをユーザに知らしめることを目的とする。ただし、この目的を達成できれば、必ずしも警告音を鳴動させる必要はなく、例えば、モニタ部１１５に確実撮影モードで起動できなかった旨を示すメッセージを表示するなどしても良い。ステップＳ６０４で警告音を鳴動させた後は、確実撮影モードで起動できないことから、ステップＳ３００の通常起動処理を実行する。このとき、ＨＤＤ側で起動すれば「このＨＤＤには記録できません」「ＨＤＤ容量が一杯です」などのメッセージが表示され、ＢＤ/ＤＶＤ側で起動すれば「ＢＤ/ＤＶＤを入れて下さい」「このＢＤ/ＤＶＤには記録できません。ディスクを交換して下さい」等のメッセージが表示されると使い勝手が良い。
【００２６】
以上、述べた処理によって、確実撮影モードによる起動が実行され、ユーザは、電源投入直後に、従来に比べて一層確実に撮影を行うことができるようになる。そのため、不意に生じた撮影チャンスでも撮影し損ねることがなくなり、使い勝手が良い。
【００２７】
なお、図６の例では、ステップＳ６００において、ＨＤＤに記録可能かどうかを先に判断する例を示したが、これに限定されず、先にＢＤ/ＤＶＤが記録可能かどうかを判断しても良い。ただし、容量の大きさやビデオカメラの使い勝手の面で、ユーザはＨＤＤに記録する場面が多いため、ＨＤＤに記録可能かどうかを優先して確認するように構成した方が使い勝手が良い。
【００２８】
また、ここでは、ＨＤＤとＢＤ/ＤＶＤとの組み合わせについて説明したが、冒頭に記載したとおり、これに限定されない。例えば、半導体メモリとＢＤ/ＤＶＤとの組み合わせも考えられ、この場合、本実施例におけるＨＤＤを半導体メモリに読み替え、容量の大きさやビデオカメラの使い勝手の面で、ユーザは半導体メモリに記録する場面も多いため、半導体メモリに記録可能かどうかを優先して確認するように構成した方が使い勝手が良い。また、例えば、ＨＤＤと半導体メモリとの組み合わせも考えられる。この場合、ＨＤＤに記録可能かを優先して確認するようにも、半導体メモリに記録可能かを優先して確認するようにも、いずれにもできる。一例として、ＨＤＤが内蔵式で半導体メモリが着脱式の場合はＨＤＤを優先し、半導体メモリが内蔵式でＨＤＤが着脱式の場合は半導体メモリを優先することができる。なぜならば、ユーザは、内蔵式の記録媒体に撮像した映像情報を記録し、その後、着脱式の記録媒体にダビングして保存する、という使用方法があるからである。
【００２９】
また、図５と図６を用いて、確実撮影モードの起動処理フローを述べた。このとき、図４−ａで確実撮影ボタンを押下するだけでビデオカメラが確実撮影モードとして起動しても良いし、確実撮影ボタンを押下しつつ上部の電源スイッチをＯＮにすることで確実撮影モードとして起動しても良い。一方、図４−ｂでは、図４−ａと同様に確実撮影ボタンを押下するだけでビデオカメラが確実撮影モードとして起動しても良いし、確実撮影ボタンを押下しつつ上部の電源スイッチをＨＤＤやＢＤ/ＤＶＤにすることで確実撮影モードとして起動しても良い。このとき、電源スイッチはＨＤＤやＢＤ/ＤＶＤにあったとしても、図４−ａと同様に記録媒体の残容量を確認し、確実に撮影できる記録媒体で起動するようにすると使い勝手が良い。もちろん、電源スイッチの位置に依らず、図６のようにＨＤＤ側に記録することを前提として起動しても良いし、電源スイッチの位置に依って優先する記録媒体を変更しても良い。例えば、確実撮影ボタンを押下しつつ電源スイッチの位置がＢＤ/ＤＶＤ側にした場合には、まずＢＤ/ＤＶＤの装填状況を調査し、装填されていた場合にはその残容量を調査し、記録可能であればＢＤ/ＤＶＤ起動処理を実行すれば良いし、ＢＤ/ＤＶＤが装填されていない場合や、残容量がない場合のように、記録不可能であればＨＤＤ起動処理を実行すれば良い。
【００３０】
以上により、確実撮影ボタンを用いることによって、ユーザは前回どちらの記録媒体側で起動したかや、その記録媒体の残容量を覚えていなくとも、確実に記録できる状態でビデオカメラを起動することができる。これにより、不意に生じた撮影チャンスを撮影し損ねることがなくなり、使い勝手が良い。不意に生じた撮影チャンスとは、例えば、我が子が初めて立ち上がったシーンや、事件や事故などの事前予測が困難なシーンである。
【００３１】
なお、ビデオカメラによっては、すぐに記録可能な状態に移行する機能を備えるものがある。それらは、多くの場合、ビデオカメラが起動した状態からスリープ状態に移行するものである。スリープ状態とは、ユーザに対しては、あたかも電源ＯＦＦ状態であるかのように見せかけているが、実際には電源ＯＮ時よりは少ないが電力供給などが行われているものである。この機能と本発明との決定的な違いは、前者はスリープ状態からの復帰動作であるのに対し、後者は電源ＯＦＦ状態からの起動動作であることと言える。前者は、例えば運動会などにおいて「いつ我が子の出番が来ても取り逃さない」などの、この後に必ず訪れる撮影チャンスを撮影する用途に有効であるが、常にスリープ状態にあると電力消費が激しいため、日常生活には適さない。一方、後者は、例えば日常生活の中で我が子が不意に初めて掴まり立ちしたシーンなど、いつ起こるか分からない撮影チャンスを撮影する際に有効である。この場合、当然、ビデオカメラの電源はＯＦＦの状態であり、そこからなるべく早く起動するとともに確実に撮影できることが重要であり、本発明は、その要件を満たすものである。
【００３２】
なお、本発明の実施例では、図４に示したように、通常の電源スイッチの他に、確実撮影ボタンを設ける例について説明した。しかし、このようなボタンは、必ずしも設けなければならないものではなく、他の方法によっても本発明の実施例と同様の効果を得ることができる。例えば、既存のボタンを組み合わせて押下するなどの方法が考えられる。すなわち、選択キーの上を押下しつつ電源スイッチをＯＮにしたり、選択キーの右と録画ボタンとを同時に押下するなどのボタン操作の組み合わせを駆使すれば良い。
【００３３】
また、本発明の実施例は、確実撮影ボタンをセットに設けることや、既存のボタンを活用して確実撮影モードで起動することとした。しかし、本発明はこれに限定されず、例えば、メニュー画面から確実撮影モードで起動するか否かを選択するようにしても良い。すなわち、ユーザがメニュー画面から確実撮影モードを「ＯＮ」にしていた場合、本実施例のビデオカメラは確実撮影モードにて起動するように制御する。このとき、確実撮影ボタンの操作は一切不要である。なお、メニュー画面から確実撮影モードを「ＯＦＦ」にしていた場合は、例えば、前回起動した時のモード情報に基づいて起動するように制御すれば良い。以上にような構成にすることで、セットにボタンを新設することなく、確実撮影モードで起動することが可能になり、使い勝手が良い。
【００３４】
また、本発明の実施例は、確実撮影モードで起動された際に、図６に示すフローの処理を行って、確実に記録できる状態でビデオカメラを起動することを説明した。しかし、電源オフの際に予め、図６に示すフローの処理のシミュレーションを行い、もし次回の起動が確実撮影モードによる起動であった場合、ステップＳ３０２のＨＤＤ起動処理を実行するのか、ステップＳ３０３のＢＤ/ＤＶＤの起動処理を実行するのか、ステップＳ６０４の警告音を鳴動するのか、をＲＡＭに記憶しておくこともできる。このようにすると、次回の起動が確実撮影モードによる起動であった場合、ＲＡＭに記憶しておいた処理を実行することで、より早く、確実に記録できる状態でビデオカメラを起動することができ、使い勝手が良い。なお、電源オフ中に、ＨＤＤが交換されなかったか（ＨＤＤが着脱式の場合）と、ＤＶＤまたはＢＤが交換されなかったかを監視し、いずれも交換されなかった場合は、上述のように、ＲＡＭに記憶しておいた処理を実行することとし、いずれかが交換された場合は、確実撮影モードで起動された際に、図６に示すフローの処理を実行するようにすると、より確実である。
【図面の簡単な説明】
【００３５】
【図１】記録再生装置のブロック図
【図２】ハイブリッド式ビデオカメラの電源スイッチ例を示す図
【図３】ハイブリッド式ビデオカメラの起動フロー例を示す図
【図４】ハイブリッド式ビデオカメラの確実撮影ボタンの設置例を示す図
【図５】確実撮影ボタンを備えたハイブリッド式ビデオカメラの起動フロー例を示す図
【図６】ハイブリッド式ビデオカメラにおける、確実撮影ボタン押下時の起動フロー例を示す図
【符号の説明】
【００３６】
１００…情報記録再生装置、１０１…システム制御部、１０２…撮像素子、１０３…映像入出力端子、１０４…映像圧縮伸張部、１０５…音声入出力端子、１０６…音声圧縮伸張部、１０７…多重/分離部、１０８…光ディスクドライバ部、１０９…光ディスク装填部、１１０…光ディスク、１１１…ハードディスクドライバ部、１１２…ハードディスク、１１３…通信部、１１４…通信入出力端子、１１５…モニタ部、１１６…電源部
【図１】
2009253566.tif 000003
【図２】
2009253566.tif 000004
【図３】
2009253566.tif 000005
【図４】
2009253566.tif 000006
【図５】
2009253566.tif 000007
【図６】
2009253566.tif 000008